(57)【要約】【課題】撮影方向を複数の方向に切り替えることのできる撮像機能を備えた携帯端末装置において、各種撮像部品の組付けを容易にすると共に、画像品質を劣化させず良好な画像を取り込むことができるようにすること。【解決手段】複数の異なる方向から入射される撮影入射光を各列に一方向に導く光路変更手段としての全反射ミラー１８と、該光路変更手段を通して出射される光路上に前記撮影入射光ごとに配置される複数の光学レンズと、これら各光学レンズを通して得られる撮影入射光を各列に撮像する撮像素子２２とを備え、前記複数の光学レンズは、これら複数の光学レンズの位置が互いに位置決めされて一体的なレンズユニット１９として構成されていることを特徴とする。【選択図】    図１
2004354929.tif 000002
【特許請求の範囲】
【請求項１】
複数の異なる方向から入射される撮影入射光を各別に一方向に導く光路変更手段と、該光路変更手段を通して出射される光路上に前記撮影入射光ごとに配置される複数の光学レンズと、これら各光学レンズを通して得られる撮影入射光を各別に撮像する撮像素子とを備え、
前記複数の光学レンズは、これら複数の光学レンズの位置が互いに位置決めされて一体的なレンズユニットとして構成されていることを特徴とする携帯端末装置。
【請求項２】
前記レンズユニットと撮像素子とが、これら各要素の位置が互いに位置決めされた状態で一体的な光学ユニットとして形成されていることを特徴とする請求項１に記載の携帯端末装置。
【請求項３】
前記レンズユニットは、複数のレンズ本体が形成されたレンズ形成壁部と、該レンズ形成壁部の前記レンズ本体からの出射光を導く光路外側に形成されたスペーサ壁部とが一体的に形成され、前記スペーサ壁部が、前記撮像素子に固着されていることを特徴とする請求項１または請求項２に記載の携帯端末装置。
【請求項４】
複数の異なる方向から入射される撮影入射光を各別に導入して、該撮影入射光を撮像する光学ユニットであって、導入された前記撮影入射光の光路上に配置された複数のレンズ本体と、これら各レンズ本体からの出射光の光路上に配置された複数の撮像素子とを備え、これら複数のレンズ本体と複数の撮像素子とが互いに位置決めされた状態で、一体的なユニットとして形成されていることを特徴とする光学ユニット。
【発明の詳細な説明】
【０００１】
【発明の属する技術分野】
本発明は、撮影方向を複数切り替えることができる撮像機能を備えた携帯端末装置および光学ユニットに関するものである。
【０００２】
【従来の技術】
近年、携帯電話機等の携帯端末装置においては、本来の電話機能等の他に、撮像機能を備えたものがあり、これらの携帯端末装置の中には、撮影方向を複数の方向に切り替えることのできる以下のようなものが提案されている。
例えば、第１の従来例として、異なる二方向からの撮影入射光をそれぞれのレンズを通して端末装置内に導入するに際し、入射する光の一方をレンズ近傍に設けたシャッター部によって遮断し、他方の入射光のみを装置内に導入し、その入射光をプリズム、ハーフミラー等によって光路を変更して撮像素子に入射させるものがある（例えば、特許文献１参照。）。
また、第２の従来例として、異なる方向からの撮影入射光をそれぞれのレンズを介して携帯端末装置内に導入し、それらレンズからの出射光を各別に撮像素子に導いてこれらを選択的に撮像するようにしたものも提案されている（例えば、特許文献２参照。）。
【０００３】
【特許文献１】
特開２００１−２２３９２４号公報
【特許文献２】
特開２００２−３５９７５８号公報
【０００４】
【発明が解決しようとする課題】
しかしながら、前述した第１の従来例に示すものにおいては、光路変更後の複数の入射光が撮像素子まで同一光路となり、一方の入射光をハーフミラーによって反射させ、他方の入射光はプリズムおよび前記ハーフミラーを通過させるように構成しているため、それら入射光から取り込む画像のいずれについても、その画像品質の劣化は免れない。また、レンズ、プリズム、撮像素子等は、組み立て時において、予め定められた位置、角度に各別に正確に設置する必要があるため、それらの位置決めが極めて難しく、製造上の困難性を伴うことになる。さらに、レンズ近傍にシャッター部を設けているので、構造が複雑になり、この点においても、製造に手間がかかるという問題がある。
また、第２の従来例に示すものにおいても、レンズ、光路変更手段、撮像素子等を各別に正確に設置する必要があるため、製造上の困難性という前述した第１の従来例と同様の問題がある。それに加えて、従来例では、単一の撮像装置を設けているため、撮像した信号の処理制御が複雑になるという問題がある。
【０００５】
【発明の目的】
本発明は、このような事情に鑑みてなされたものであって、撮影方向を複数の方向に切り替えることのできる撮像機能を備えた携帯端末装置において、各種撮像部品の組付けを容易にすると共に、画像品質を劣化させず良好な画像を取り込むことのできる携帯端末装置および光学ユニットを提供することを目的としている。
【０００６】
【課題を解決するための手段】
上記課題を解決するために、本発明は以下の手段を提供する。
請求項１に係る発明は、複数の異なる方向から入射される撮影入射光を各列に一方向に導く光路変更手段と、該光路変更手段を通して出射される光路上に前記撮影入射光ごとに配置される複数の光学レンズと、これら各光学レンズを通して得られる撮影入射光を各列に撮像する撮像素子とを備え、前記複数の光学レンズは、これら複数の光学レンズの位置が互いに位置決めされて一体的なレンズユニットとして構成されていることを特徴とする。
【０００７】
請求項２に係る発明は、請求項１に記載の携帯端末装置において、前記レンズユニットと撮像素子とが、これら各要素の位置が互いに位置決めされた状態で一体的な光学ユニットとして形成されていることを特徴とする。
請求項３に係る発明は、請求項１または請求項２に記載の携帯端末装置において、前記レンズユニットは、複数のレンズ本体が形成されたレンズ形成壁部と、該レンズ形成壁部の前記レンズ本体からの出射光を導く光路外側に形成されたスペーサ壁部とが一体的に形成され、前記スペーサ壁部が、前記撮像素子に固着されていることを特徴とする。
【０００８】
請求項４に係る発明は、複数の異なる方向から入射される撮影入射光を各別に導入して、該撮影入射光を撮像する光学ユニットであって、導入された前記撮影入射光の光路上に配置された複数のレンズ本体と、これら各レンズ本体からの出射光の光路上に配置された複数の撮像素子とを備え、これら複数のレンズ本体と複数の撮像素子とが互いに位置決めされた状態で、一体的なユニットとして形成されていることを特徴とする。
【０００９】
【発明の実施の形態】
以下、本発明の一実施形態に係る携帯端末装置について、図面を参照して説明する。本実施形態では、携帯端末装置として携帯電話機を例に挙げて説明する。
【００１０】
図１において、符号１は、本発明の一実施形態としての携帯電話機を示したものである。
携帯電話機１は、第１の筐体２と第２の筐体３とがヒンジ部４を介して折り畳み可能に連結されたものである。第１の筐体２の折り畳んだ際の内面５側には、テンキー等の各種操作キー９が設けられている。第２の筐体３の折り畳んだ際の内面６側には、表示部１０が設置されると共に、第２の筐体３の長さ方向の端部近傍に第１の開口部１５が形成されている。そして、第２の筐体３の折り畳む際の外面（内面６と反対側の面）１３側において、第１の開口部１５と対向する位置に第２の開口部１６が形成されている。さらに、第２の筐体３内には、撮像装置１２が配置されている。撮像装置１２は、第１の開口部１５および第２の開口部１６の双方から導入された撮影入射光が入射されるようになっており、これにより第２の筐体３の内部において撮像画像が得られるようになっている。
【００１１】
この撮像装置１２の概略構成は図２に示されている。撮像装置１２は、図２に示すように、後述する光学ユニット２５により構成されており、光学ユニット２５の前方には一対の全反射ミラー１８が設けられている。これらの全反射ミラー１８は、互いに反対方向から入射された光が互いに並列して光学ユニット２５の方向に向かうような角度に配置されており、図示しない保持手段により第２の筐体３内に保持されている。
【００１２】
光学ユニット２５は、レンズ本体２０ａ，２０ｂを有するレンズユニット１９と、撮像部２２とを備えている。
レンズユニット１９は、図３に示すように、二つのレンズ本体２０ａ，２０ｂを備えた矩形板状のレンズ形成壁部１９ａと、前記各レンズ本体２０ａ，２０ｂを通過した光の光路を囲むように設けられた角筒状のスペーサ壁部１９ｂとを備え、これらレンズ形成壁部１９ａとスペーサ壁部１９ｂとは、合成樹脂等により一体的に形成されている。
【００１３】
また、撮像素子２２ａ，２２ｂは、図４に示す板状のベース部２３に撮像素子本体を設けてなるものである。そして、スペーサ壁部１９ｂの先端は、撮像素子２２ａ，２２ｂに接着剤等により固着されている。これら、レンズユニット１９のレンズ本体２０ａ，２０ｂと撮像部２２の撮像素子２２ａ，２２ｂとは、全体が予め定められた位置に位置決めされて一体的な構成とされている。これら一体とされた光学ユニット２５は、図１に示す第２の筐体３内の定位置に取り付けられ、図示しない保持手段によって保持されている。
【００１４】
これにより、第１の開口部１５および第２の開口部１６から導入された光が全反射ミラー１８によって反射され、レンズユニット１９のレンズ本体２０ａ，２０ｂを通して、撮像部２２に設けられた撮像素子２２ａ，２２ｂにそれぞれ入射されるようになっている。
なお、撮像部２２によって撮像される画像は、所定の操作キー９を押圧することにより、図示しない制御部によって選択され、表示部１０の表示面１０ａに適宜表示されるようになっている。すなわち、いずれか一方の画像を任意に切り替えられるようになっている。さらに、切り替えられて得られた撮像信号は、図示しない記憶部に記憶されると共に、さらに制御部によって記憶部に記憶された画像を外部に送信できるようになっている。
【００１５】
次に、このように構成された本実施形態に係る携帯電話機１の作用について説明する。
この携帯電話機１は、本来の携帯電話機としての通話機能の他、撮像機能を備えており、撮像装置１２によって各種の撮影を行うことができる。撮影時には、図１に示すように、第１、第２の筐体２，３を互いに開き、第１の開口部１５を操作者の方に向け、第２の開口部１６を遠方の景色等の方向に向ける。このとき、第１、第２の開口部１５，１６のそれぞれから入射される光が全反射ミラー１８によって反射させられ、互いに並列して各撮像素子２２ａ，２２ｂに撮像される。この際、予め撮像素子２２ａ，２２ｂのいずれか一方を選択するように設定しておくことにより、制御部がその撮像画像を選択し、表示部１０の表示面１０ａに表示する。この状態において、所定の操作キー９を押圧することにより、表示面１０ａに表示される被写体が撮影され、さらに、その画像あるいは動画が無線により適宜送信される。
【００１６】
上記の構成からなる携帯電話機１によれば、第１の開口部１５および第２の開口部１６のそれぞれから導入された撮影入射光が、レンズユニット１９のレンズ本体２０ａ，２０ｂを介して各撮像素子２２ａ，２２ｂにそれぞれ到達するが、この際、レンズ本体２０ａ，２０ｂおよびこのレンズ本体２０ａ，２０ｂを含む撮像素子２２ａ，２２ｂがユニットとして一体的に構成されているため、すなわち、予め位置決めされた状態で形成されているため、レンズユニット１９について製作誤差等が抑えられ、良好な撮像画像が常に得られる。また、この光学ユニット２５が一体的に形成されているため、この携帯電話機１を組み立てる際に、レンズ本体２０ａ，２０ｂ、撮像素子２２ａ，２２ｂを各別ごとに設置、位置決め等する必要がなく、組み立てを容易に行うことができ、作業性を向上させることができる。
【００１７】
また、第２の筐体３内に導入される入射光は、全反射ミラー１８によって反射させられ、プリズムやハーフミラーを経ることがないため、いずれの入射光から取り込まれる画像についても、その画像品質の劣化を防止することができる。
さらに、レンズ近傍にシャッター部等を設ける必要がなく、部品点数を抑えることができるため、構造が簡単になり、携帯電話機１本体の製造も容易となる。
また、複数の撮像素子２２ａ，２２ｂとが別個に設けられていることから、撮像した信号の制御も容易になる。
【００１８】
なお、上記の実施の形態においては、レンズユニット１９が、矩形のレンズ壁部１９ａと角筒上のスペーサ壁部１９ｂとを備えるとしたが、これらの形状等は適宜変更してもよい。
また、撮像画像を表示面１０ａに選択的に表示するとしたが、これに限ることはなく、双方から取り込む画像を同時に表示するようにしてもよい。または、複数の画像情報を自由に選択して、表示面１０ａに様々な組み合わせ情報として編集して表示するようにしてもよい。
【００１９】
このように、本発明に係る携帯端末装置によれば、装置組み付け時において、複数の光学レンズの位置が互いに位置決めされて一体となったレンズユニットを所定の位置に設置する。そして、組み立て後の撮影時においては、異なる方向から入射される撮影入射光が、光路変更手段により一方向に導かれ、さらにそれぞれの撮影入射光が、前記レンズユニットの各別の光学レンズを通して、対応する撮像素子に入射される。
これにより、装置の組み付け時において、複数のレンズの位置、角度を各別に調整する必要がなくなり、組み付けが容易になると共に、レンズユニットの製造上の誤差等が抑制され常に良好な撮影が可能となる。同時に、撮影時において、各撮像素子によって、独立して撮像出力が得られるようになり、それら出力信号の制御が容易になると共に、光を遮る遮蔽物等を設ける必要もない。
【００２０】
また、光学ユニットとして、レンズユニットと撮像素子とが一体的に形成されているため、さらに組み付けが容易になると共に、製造誤差等が抑えられる。
また、複数のレンズとレンズ形成壁部とスペーサ壁部とが一体的に構成され、そのスペーサ壁部が撮像素子に固着されているため、上記と同様、組み付けが容易になると共に、製造誤差をさらに抑えることが可能となる。
さらに、本実施形態では、折り畳み型の携帯電話機１を例にとって説明したが、本発明は携帯電話機１に限定されるものではなく、ＰＤＡ等の他の携帯端末装置にも適用できることは言う迄もない。
【００２１】
【発明の効果】
以上のように、本発明によれば、レンズユニットの組み付けが容易となる携帯端末装置を提供することができる。
【図面の簡単な説明】
【図１】本発明の一実施形態として示した携帯電話機の斜視図である。
【図２】同携帯電話機の要部の斜視図である。
【図３】同携帯電話機の光学ユニットを示す斜視図である。
【図４】図３のＩＶ−ＩＶ線断面図である。
【符号の説明】
１    携帯電話機（携帯端末装置）
１８  全反射ミラー（光路変更手段）
１９  レンズユニット
１９ａ  レンズ形成壁部
１９ｂ  スペーサ壁部
２０ａ，２０ｂ  レンズ本体（光学レンズ）
２２  撮像素子
２５  光学ユニット
【図１】
2004354929.tif 000003
【図２】
2004354929.tif 000004
【図３】
2004354929.tif 000005
【図４】
2004354929.tif 000006